(57)【要約】【課題】確実に各個人がどこにいるかを特定でき、赤外線送信機も非常にシンプルな回路構成とする家庭内電気機器ネットワーク制御情報機器システムを提供する。【解決手段】家庭内電気機器のネットワーク制御情報端末機器親機１と、赤外線送信機２と、個人認識用カード３とを有し、ネットワーク制御情報端末機器親機１、個人認識用カード３、家庭内電気機器は無線回路を内蔵し、赤外線送信機２は赤外線送信回路を内蔵し、個人認識用カード３は赤外線受信回路を内蔵し、赤外線送信機２と個人認識用カード３間の通信は赤外線回路で行い、赤外線送信機２の赤外線送信信号に含まれるデータを個人認識用カード３が受信し、この受信データをネットワーク制御情報端末機器親機１に送信することにより、個人認識用カード３を所持している個人の位置を特定する。これにより、確実に各個人の特定ができ、赤外線送信機２もシンプルな回路で構成することができる。【選択図】図１
2006345139.tif 000002
【特許請求の範囲】
【請求項１】
家庭内電気機器のネットワーク制御情報端末機器親機と、赤外線送信機と、個人認識用カードとを有し、前記ネットワーク制御情報端末機器親機と、個人認識用カードと、家庭内電気機器は無線回路を内蔵し、赤外線送信機は赤外線送信回路を内蔵し、個人認識用カードは赤外線受信回路を内蔵し、赤外線送信機と個人認識用カード間の通信は赤外線回路で行い、赤外線送信機の赤外線送信信号に含まれるデータを個人認識用カードが受信し、この受信データを個人認識用カードからネットワーク制御情報端末機器親機に送信することにより、個人認識用カードを所持している個人の位置を特定する家庭内電気機器ネットワーク制御情報機器システム。
【請求項２】
無線回路は、特定小電力無線回路である請求項１に記載の家庭内電気機器ネットワーク制御情報機器システム。
【請求項３】
赤外線送信機を複数の部屋に取付け、個人認識用カードを所持している個人がどの部屋、または家庭内のどの位置にいるかをネットワーク制御情報端末機器親機が把握する請求項１または２に記載の家庭内電気機器ネットワーク制御情報機器システム。
【請求項４】
単数または複数の家庭内電気機器を備え、ネットワーク制御情報端末機器親機に設定されている内容で家庭内電気機器を制御する請求項１〜３のいずれか１項に記載の家庭内電気機器ネットワーク制御情報機器システム。
【請求項５】
ネットワーク制御端末機器親機は、時間情報と個人認識用カードから送信される赤外線送信機送信データによる位置情報と家庭内電気機器からの情報により、日付を含む時間情報と個人認識用カードを所持している特定された個人の位置と家庭内電気機器の使用制御のパターンを記憶し、個人認識用カードを所持している特定された個人の日付を含む時間情報と位置情報により、自動的に家庭内電気機器を制御する請求項４に記載の家庭内電気機器ネットワーク制御情報機器システム。
【請求項６】
個人認識用カードは、音声入出力装置を持ち、ネットワーク制御端末機器親機から送信される家庭内電気機器の制御について個人認識用カード保持者に家庭内電気機器の制御の有無または制御内容について実施の有無について音声出力し、個人認識用カード保持者の音声内容により、家庭内電気機器の制御の有無および家庭内電気機器の制御内容について実施の有無を入力し、家庭内電気機器の制御有無の信号をネットワーク制御端末機器親機に送信することが可能である請求項４または５に記載の家庭内電気機器ネットワーク制御情報機器システム。
【請求項７】
家庭内電気機器のネットワーク制御情報端末機器親機と、赤外線送信機と、個人認識用カードと、単数または複数の防犯用電気機器とを有し、ネットワーク制御端末機器親機は、個人認識用カードからの個人認識用カード保持者の赤外線送信機の信号データ内容および赤外線送信機信号データの有無により、個人認識用カード保持者の在宅および外出を判断し、単数あるいは複数の防犯用電気機器を警戒モードの実施および解除を制御する家庭内電気機器ネットワーク制御情報機器システム。
【請求項８】
家庭内電気機器のネットワーク制御情報端末機器親機と、赤外線送信機と、個人認識用カードと、単数または複数の電気錠とを有し、ネットワーク制御端末機器親機は、個人認識用カードからの個人認識用カード保持者の赤外線送信機信号データの内容および赤外線送信機信号データの有無により、個人認識用カード保持者の在宅および外出を判断し、単数または複数の電気錠の施錠および開錠を制御する家庭内電気機器ネットワーク制御情報機器システム。
【発明の詳細な説明】
【技術分野】
【０００１】
本発明は家庭内電気機器および個人認識用カードを無線で接続する家庭内電気機器ネットワーク制御情報端末機器に関するものである。
【背景技術】
【０００２】
従来、家庭内電気機器ネットワーク制御情報端末機器は、小電力無線通信などを用いて家庭内電気機器のネットワークを形成し、操作者は、家庭内電気機器ネットワーク制御端末機器親機に制御情報を送信し、各電気機器などの制御を実施したり、あるいはあらかじめ家庭内電気機器ネットワーク制御端末機器親機に保存していたデータより、特定された個人がどこにいるかを人感センタなどからの信号により認識し、各電気機器などを自動的に制御したりしていた（例えば、特許文献１参照）。
【特許文献１】特開２００４−１５９０５４号公報
【発明の開示】
【発明が解決しようとする課題】
【０００３】
しかしながら、前記従来の構成では、あらかじめ家庭内電気機器ネットワーク制御端末機器親機に保存していたデータより、特定された個人がどこにいるかを人感センタなどからの信号により認識し、各電気機器などを自動的に制御する場合で、人感センサと個人認識用カードとの通信を小電力無線通信で行う場合は、小電力無線の電波が飛び過ぎ、個人認識用カードを所有している人物の位置の特定が困難であり、また、人感センサと個人認識用カードとの通信を赤外線通信で行う場合は、赤外線送信回路を個人認識用カードに持たせると、赤外線送信回路での消費電力が多く、電池がすぐに無くなってしまい、人感センサなどに、家庭内電気機器ネットワーク制御端末機器親機との通信ができる小電力無線機能などを付加する必要があるなどの課題があった。
【０００４】
本発明は、前記従来の課題を解決するもので、確実に個人認識用カードを所持している各個人がどこにいるかを特定でき、赤外線送信機も、人感センサのように赤外線受信回路や、小電力無線回路を内蔵する必要が無い非常にシンプルな回路で構成することができる家庭内電気機器ネットワーク制御情報機器システムを提供することを目的とする。
【課題を解決するための手段】
【０００５】
前記従来の課題を解決するために、本発明の家庭内電気機器ネットワーク制御情報機器システムは、家庭内電気機器のネットワーク制御情報端末機器親機と、赤外線送信機と、個人認識用カードとを有し、前記ネットワーク制御情報端末機器親機と、個人認識用カードと、家庭内電気機器は無線回路を内蔵し、赤外線送信機は赤外線送信回路を内蔵し、個人認識用カードは赤外線受信回路を内蔵し、赤外線送信機と個人認識用カード間の通信は赤外線回路で行い、赤外線送信機の赤外線送信信号に含まれるデータを個人認識用カードが受信し、この受信データを個人認識用カードからネットワーク制御情報端末機器親機に送信することにより、個人認識用カードを所持している個人の位置を特定するものである。  これによって、確実に個人認識用カードを所持している各個人がどこにいるかを特定でき、赤外線送信機も、人感センサのように赤外線受信回路や、小電力無線回路を内蔵する必要が無い非常にシンプルな回路で構成することができる。
【発明の効果】
【０００６】
本発明の家庭内電気機器ネットワーク制御情報機器システムは、確実に個人認識用カードを所持している各個人がどこにいるかを特定でき、赤外線送信機も、人感センサのように赤外線受信回路や、小電力無線回路を内蔵する必要が無い非常にシンプルな回路で構成
することができ、コストもかなり低減できるものである。
【発明を実施するための最良の形態】
【０００７】
第１の発明は、家庭内電気機器のネットワーク制御情報端末機器親機と、赤外線送信機と、個人認識用カードとを有し、前記ネットワーク制御情報端末機器親機と、個人認識用カードと、家庭内電気機器は無線回路を内蔵し、赤外線送信機は赤外線送信回路を内蔵し、個人認識用カードは赤外線受信回路を内蔵し、赤外線送信機と個人認識用カード間の通信は赤外線回路で行い、赤外線送信機の赤外線送信信号に含まれるデータを個人認識用カードが受信し、この受信データを個人認識用カードからネットワーク制御情報端末機器親機に送信することにより、個人認識用カードを所持している個人の位置を特定する家庭内電気機器ネットワーク制御情報機器システムとした。これにより、確実に個人認識用カードを所持している各個人がどこにいるかを特定でき、赤外線送信機も、人感センサのように赤外線受信回路や、小電力無線回路を内蔵する必要が無い非常にシンプルな回路で構成することができる。
【０００８】
第２の発明は、特に、第１の発明において、無線回路は、特定小電力無線回路であることにより、小型化で、かつ電池駆動できるものである。
【０００９】
第３の発明は、特に、第１または第２の発明において、赤外線送信機を複数の部屋に取付け、個人認識用カードを所持している個人がどの部屋、または家庭内のどの位置にいるかをネットワーク制御情報端末機器親機が把握することにより、家屋内の複数の部屋のうち特定された位置に、個人認識用カードを保持する個人がいることを特定することができるものである。
【００１０】
第４の発明は、特に、第１〜第３のいずれか１つの発明において、単数または複数の家庭内電気機器を備え、ネットワーク制御情報端末機器親機に設定されている内容で家庭内電気機器を制御することにより、家庭内電気機器ネットワーク制御端末機器親機に記憶されている情報に基づき、個人認識用カードを持っている個人に対して、複数の家庭内電気機器を制御できるものである。
【００１１】
第５の発明は、ネットワーク制御端末機器親機は、時間情報と個人認識用カードから送信される赤外線送信機送信データによる位置情報と家庭内電気機器からの情報により、日付を含む時間情報と個人認識用カードを所持している特定された個人の位置と家庭内電気機器の使用制御のパターンを記憶し、個人認識用カードを所持している特定された個人の日付を含む時間情報と位置情報により、自動的に家庭内電気機器を制御する請求項４に記載の家庭内電気機器ネットワーク制御情報機器システムとした。これにより、家庭内電気機器ネットワーク制御端末機器親機に記憶されている情報に基づき、特定された個人の位置情報と時間情報により、個人認識用カードを持っている個人に対して、複数の家庭内電気機器を制御できるものである。
【００１２】
第６の発明は、特に、第４または第５の発明において、個人認識用カードは、音声入出力装置を持ち、ネットワーク制御端末機器親機から送信される家庭内電気機器の制御について個人認識用カード保持者に家庭内電気機器の制御の有無または制御内容について実施の有無について音声出力し、個人認識用カード保持者の音声内容により、家庭内電気機器の制御の有無および家庭内電気機器の制御内容について実施の有無を入力し、家庭内電気機器の制御有無の信号をネットワーク制御端末機器親機に送信することが可能であることにより、音声で制御ができるものである。
【００１３】
第７の発明は、家庭内電気機器のネットワーク制御情報端末機器親機と、赤外線送信機と、個人認識用カードと、単数または複数の防犯用電気機器とを有し、ネットワーク制御
端末機器親機は、個人認識用カードからの個人認識用カード保持者の赤外線送信機の信号データ内容および赤外線送信機信号データの有無により、個人認識用カード保持者の在宅および外出を判断し、単数あるいは複数の防犯用電気機器を警戒モードの実施および解除を制御する家庭内電気機器ネットワーク制御情報機器システムとした。これにより、個人認識用カードを所持している特定された個人が家に着いた場合は、人感センサは赤外線回路を使用し、個人認識用カードを所有する個人がどこにいるかを特定できる様にし、一つの人感センサで、二通りの動作をできるものである。
【００１４】
第８の発明は、家庭内電気機器のネットワーク制御情報端末機器親機と、赤外線送信機と、個人認識用カードと、単数または複数の電気錠とを有し、ネットワーク制御端末機器親機は、個人認識用カードからの個人認識用カード保持者の赤外線送信機信号データの内容および赤外線送信機信号データの有無により、個人認識用カード保持者の在宅および外出を判断し、単数または複数の電気錠の施錠および開錠を制御する家庭内電気機器ネットワーク制御情報機器システムとした。これにより、電気錠の施錠および開錠を制御することができる。
【００１５】
以下、本発明の実施の形態について、図面を参照しながら説明する。なお、この実施の形態によって本発明が限定されるものではない。
【００１６】
（実施の形態１）
図１〜図３は、本発明の実施の形態１における家庭内電気機器ネットワーク制御情報機器システムを示している。
【００１７】
図１において、１は家庭内電気機器のネットワーク制御情報端末機器親機、２は赤外線送信機、３は個人認識用カード、４は風呂給湯機、５はテレビ、６はビデオデッキ、７はエアコン、８は照明機器、９は家屋、１０は家庭内電気機器のネットワーク制御情報端末機器子機、１８は家庭内電気機器のネットワーク制御情報端末機器親機の外部ネットワーク接続端子である。
【００１８】
また、図２において、２３は制御回路、２４は赤外線送信回路であり、図３において、３１は無線用アンテナ（家庭内電気機器ネットワーク制御情報端末機器親機用）、３２は無線回路（家庭内電気機器ネットワーク制御情報端末機器親機用）、３３は制御回路、３４は個人情報データ記憶装置である、３５は赤外線受信回路である。
【００１９】
次に動作を説明すると、操作者は固定されていない家庭内電気機器のネットワーク制御情報端末機器子機１０あるいは家屋内で固定されている家庭内電気機器のネットワーク制御情報端末機器親機１を用い、風呂給湯機４、テレビ５のオンオフなどの制御、ビデオデッキ６のオンオフ、録画などの制御、エアコン７、照明機器８のオンオフ制御を行う。
【００２０】
また、家庭外部のネットワークとの通信は、家庭内電気機器のネットワーク制御情報端末機器親機１の場合、外部ネットワークの接続線を外部ネットワーク接続端子１８に接続して行う。
【００２１】
また、赤外線送信機２と個人認識用カード３との通信は、赤外線送信機２においては制御回路２３からの信号により赤外線送信回路２４を動作させ、赤外線信号を出力し、個人認識用カード３では制御回路３３からの信号により、赤外線受信回路３５を動作させ、赤外線信号を入力し実施する。なお、このとき個人認識用カード３からは、赤外線送信回路２から得られた信号データが無線回路３２から無線用アンテナ３１を通して、家庭内電気機器のネットワーク制御情報端末機器親機１に向け送信される。
【００２２】
これらの構成により、個人認識用カード３を所持している個人が、赤外線送信機２からの受信データを家庭内電気機器のネットワーク制御情報端末機器親機１に向け送信するので、この親機１が個人認識用カード３を所持している個人の位置を特定することができる。これにより、あらかじめ家庭内電気機器のネットワーク制御情報端末機器親機１に登録しておいた内容データ、例えば風呂給湯機４を制御する信号が家庭内電気機器のネットワーク制御情報端末機器親機１から風呂給湯機４に送信され、風呂給湯機４が動作を開始する。  また、テレビ５のオンオフなどの制御、ビデオデッキ６のオンオフ、録画などの制御、エアコン７、照明機器８のオンオフ制御も同様に実施することができる。
【００２３】
なお、赤外線送信機２は家庭内電気機器のネットワーク制御情報端末機器親機１に内蔵されてもよい。また、個人認識用カード３に送信する該当する家庭内電気機器使用の許可情報は、文字、あるいは、映像あるいは音声のいずれでも良い。
【００２４】
（実施の形態２）
図４は、本発明の実施の形態２における家庭内電気機器ネットワーク制御情報機器システムの個人認識用カードを示している。実施の形態１と同一要素については同一符号を付してその説明を省略する。
【００２５】
図において、３６は４２９ＭＨｚ帯の特定小電力無線テレメータ・テレコントロール用の周波数帯を使用している小電力無線回路（家庭内電気機器のネットワーク制御情報端末機器親機通信用）であり、３７は４２９ＭＨｚ帯用小電力無線用アンテナ（家庭内電気機器のネットワーク制御情報端末機器親機通信用）である。
【００２６】
次に構成および作用について説明すると、個人認識用カード３においては、制御回路３３の制御信号により４２９ＭＨｚ帯の特定小電力無線テレメータ・テレコントロール用の周波数帯を使用している小電力無線回路３７を制御し、４２９ＭＨｚ帯用小電力無線用アンテナ３６から信号を送信する。これにより、電波伝搬特性のよい小電力無線での通信が可能になる。
【００２７】
（実施の形態３）
図５は、本発明の実施の形態３における家庭内電気機器ネットワーク制御情報機器システムを示している。実施の形態１と同一要素については同一符号を付してその説明を省略する。
【００２８】
図において、１０１は第２の赤外線送信機、１０２は第３の赤外線送信機、１０３は第４の赤外線送信機、１０４は第５の赤外線送信機である。
【００２９】
個人認識用カード３を所持している人が、第２の赤外線送信機１０１のある部屋に入った場合、第２の赤外線送信機１０１からの信号を個人認識カード３が検知し、この検知信号が個人認識カード３から家庭内電気機器のネットワーク制御情報端末機器親機１に送信される。これより、個人認識用カード３を所持している人が第２の赤外線送信機１０１のある部屋にいることを家庭内電気機器のネットワーク制御情報端末機器親機１が認識することができる。
【００３０】
また、個人認識用カード３を所持している人が、第３の赤外線送信機１０２のある部屋に入った場合、第３の赤外線送信機１０２からの信号を個人認識用カード３が検知し、この検知信号が個人認識用カード３から家庭内電気機器のネットワーク制御情報端末機器親機１の送信される。これより、個人認識用カード３を所持している人が第３の赤外線送信機１０２のある部屋にいることを家庭内電気機器のネットワーク制御情報端末機器親機１が認識することができる。
【００３１】
つぎに、個人認識用カード３を所持している人が、第４の赤外線送信機１０３のある部屋に入った場合、第４の赤外線送信機１０３からの信号を個人認識用カード３が検知し、この検知信号が個人認識用カード３から家庭内電気機器のネットワーク制御情報端末機器親機１の送信される。これより、個人認識用カード３を所持している人が第４の赤外線送信機１０３のある部屋にいることを家庭内電気機器のネットワーク制御情報端末機器親機１が認識することができる。
【００３２】
さらに、個人認識用カード３を所持している人が、第５の赤外線送信機１０４のある部屋に入った場合、第５の赤外線送信機１０４からの信号を個人認識用カード３が検知し、この検知信号が個人認識用カード３から家庭内電気機器のネットワーク制御情報端末機器親機１の送信される。これより、個人認識用カード３を所持している人が第５の赤外線送信機１０４のある部屋にいることを家庭内電気機器のネットワーク制御情報端末機器親機１が認識することができる。
【００３３】
これらより、第２の赤外線送信機１０１、第３の赤外線送信機１０２、第４の赤外線送信機１０３、第５の赤外線送信機１０４を家屋９の各部屋に設置することで、各赤外線送信機からの信号を個人認識用カード３が検知し、このデータを使用することで、ネットワーク制御情報端末機器親機１に個人認識用カードを所持している個人の位置を認識させることができる。
【００３４】
（実施の形態４）
図６は、本発明の実施の形態４における家庭内電気機器ネットワーク制御情報機器システムのネットワーク制御情報端末機器親機を示している。実施の形態１と同一要素については同一符号を付してその説明を省略する。
【００３５】
図において、４３は無線回路、４４は無線用アンテナ、４５は制御装置、４６はデータ記憶装置、４７はデータ入力部、４８はデータ表示部、４９は外部ネットワーク接続端子である。
【００３６】
個人認識用カード３を所持している人が、第２の赤外線送信機１０１のある部屋に入った場合、第２の赤外線送信機１０１からの信号を個人認識用カード３が検知し、この検知信号が個人認識用カード３から家庭内電気機器のネットワーク制御情報端末機器親機１へ送信される。そして、あらかじめ家庭内電気機器のネットワーク制御情報端末機器親機１に登録しておいた内容で、風呂給湯機４を制御する信号が家庭内電気機器のネットワーク制御情報端末機器親機１から風呂給湯機４に送信され、風呂給湯機４が動作を開始する。
【００３７】
また、個人認識用カード３を所持している人が、第３の赤外線送信機１０２のある部屋に入った場合、第３の赤外線送信機１０２からの信号を個人認識用カード３が検知し、この検知信号が個人認識用カード３から家庭内電気機器のネットワーク制御情報端末機器親機１へ送信される。そして、あらかじめ家庭内電気機器のネットワーク制御情報端末機器親機１に登録しておいた内容で、テレビ５、あるいはビデオデッキ６を制御する信号が家庭内電気機器のネットワーク制御情報端末機器親機１から、テレビ５、あるいはビデオデッキ６に送信され、テレビ５、あるいはビデオデッキ６が動作を開始する。
【００３８】
つぎに、個人認識用カード３を所持している人が、第４の赤外線送信機１０３のある部屋に入った場合、第４の赤外線送信機１０３からの信号を個人認識用カード３が検知し、この検知信号が個人認識用カード３から家庭内電気機器のネットワーク制御情報端末機器親機１へ送信される。そして、あらかじめ家庭内電気機器のネットワーク制御情報端末機器親機１に登録しておいた内容で、エアコン７を制御する信号が家庭内電気機器のネット
ワーク制御情報端末機器親機１からエアコン７に送信され、エアコン７が動作を開始する。
【００３９】
さらに、個人認識用カード３を所持している人が、第５の赤外線送信機１０４のある部屋に入った場合、第５の赤外線送信機１０４からの信号を個人認識用カード３が検知し、この検知信号が個人認識用カード３から家庭内電気機器のネットワーク制御情報端末機器親機１へ送信される。そして、あらかじめ家庭内電気機器のネットワーク制御情報端末機器親機１に登録しておいた内容で、照明器具８を制御する信号が家庭内電気機器のネットワーク制御情報端末機器親機１から照明器具８に送信され、照明器具８が動作を開始する。
【００４０】
このように、個人認識用カード３を所有している人がある赤外線送信機の範囲に入れば、赤外線送信機から送信されたデータが、個人認識用カード３から家庭内電気機器のネットワーク制御情報端末機器親機１に情報が伝わり、家庭内電気機器のネットワーク制御情報端末機器子機１０を操作することなく、あらかじめ決めておいた家庭電気機器に対し、あらかじめ決めておいた制御を実施することができる。特に、各部屋ごと、各場所ごとに赤外線送信機２を取付けておけば、複数の部屋にある複数の電気機器を制御することが可能になる。
【００４１】
これらより、家族が複数同じ家に住んでいる場合、同じ部屋にいても使用する電気機器が異なる場合にも対応することが可能であるし、同一機器であっても使用内容が異なる場合にも対応する。
【００４２】
例えば、ビデオデッキで、父親がプロ野球を録画して、子供が音楽番組を録画し、母親がドラマを録画していても、個人認識用カード３で現在部屋にいる人が誰であるかを認識できるので、ビデオデッキのある部屋に父親が入ってくると自動的にテレビ５とビデオデッキ６のスイッチが入り、録画されているプロ野球が自動的に再生され、子供が入ってくると音楽番組が自動再生され、母親が入ってくるとドラマが自動再生されるということなどが可能になる。
【００４３】
（実施の形態５）
図７は、本発明の実施の形態５における家庭内電気機器ネットワーク制御情報機器システムのネットワーク制御情報端末機器親機を示している。実施の形態１と同一要素については同一符号を付してその説明を省略する。
【００４４】
図において、５０はクロック（カレンダー機能付き）である。
【００４５】
個人認識用カード３を所持している人が、例えば第２の赤外線送信機１０１のある部屋に入って、風呂給湯機４を操作した場合、個人認識用カード３の認識データが検知した第２の赤外線送信機１０１と、風呂給湯機４を操作した内容のデータが家庭内電気機器のネットワーク制御情報端末機器親機１へ送信される。そして、これら２つのデータとクロック（カレンダー機能付き）５０のデータが家庭内電気機器のネットワーク制御情報端末機器親機１のデータ記憶装置４６に記録される。また、個人認識用カード３を所持している人が、第３の赤外線送信機１０２のある部屋に入って、テレビ５、あるいはビデオデッキ６を操作した場合、個人認識用カードが検知した赤外線送信機１０２の認識データと、テレビ５、あるいはビデオデッキ６を操作した内容のデータが家庭内電気機器のネットワーク制御情報端末機器親機１へ送信される。そして、これら２つのデータとクロック（カレンダー機能付き）５０のデータが家庭内電気機器のネットワーク制御情報端末機器親機１のデータ記憶装置４６に記録される。
【００４６】
つぎに、個人認識用カード３を所持している人が、第４の赤外線送信機１０３のある部屋に入って、エアコン７を操作した場合、個人認識用カードが検知した赤外線送信機１０３の認識データ、エアコン７を操作した内容のデータが家庭内電気機器のネットワーク制御情報端末機器親機１へ送信される。そして、これら２つのデータとクロック（カレンダー機能付き）５０のデータが家庭内電気機器のネットワーク制御情報端末機器親機１のデータ記憶装置４６に記録される。さらに、個人認識用カード３を所持している人が、第５の赤外線送信機１０４のある部屋に入って、照明器具８を操作した場合、個人認識用カード３が検知した赤外線送信機１０４の認識データと、エアコン７を操作した内容のデータが家庭内電気機器のネットワーク制御情報端末機器親機１の送信される。そして、これら２つのデータとクロック（カレンダー機能付き）５０のデータが家庭内電気機器のネットワーク制御情報端末機器親機１のデータ記憶装置４６に記録される。このようにして、個人認識用カード３に記憶されているデータと各赤外線のデータとクロック（カレンダー機能付き）のデータを記憶することにより、個人の生活パターンを記憶し、個人認識用カード３を所持している人が赤外線送信機のデータを捉えた場合、過去のデータより個人認識用カード３を持った人の行動を予想して、各電気機器の制御信号を家庭内電気機器のネットワーク制御情報端末機器親機１から送信し、各電気機器を制御することができる。
【００４７】
（実施の形態６）
図８は、本発明の実施の形態６における家庭内電気機器ネットワーク制御情報機器システムの個人認識用カードを示している。実施の形態１と同一要素については同一符号を付してその説明を省略する。
【００４８】
図において、５１はデータ表示部、５２はデータ入力部、５３はスピーカー、５４はマイクである。
【００４９】
赤外線送信機２に記憶されているデータと各個人認識用カード３のデータとクロック５０のデータを記憶することにより、個人の生活パターンを記憶し、個人認識用カード３を所持している人が赤外線送信機２のデータを捉えた場合、過去のデータより個人認識用カード３を持った人の行動を予想して、各電気機器の制御信号を家庭内電気機器のネットワーク制御情報端末機器親機１から送信し、各電気機器を制御するが、このとき、該当する電気機器の制御が不要である場合もある。これより、該当する電気機器を動作させるか否かについて、個人認識用カード３のデータ表示部５１に表示して、動作する、しない、をデータ入力部５２に入力して該当する電気機器の動作させるか否かを制御することができる。あるいは、個人認識用カード３のスピーカー５３内容を音声で流し、これについての応答をマイク５４から入力することで該当する電気機器の動作させるか否かを制御することもできる。
【００５０】
（実施の形態７）
図９〜図１１は、本発明の実施の形態７における家庭内電気機器ネットワーク制御情報機器システムを示している。実施の形態１と同一要素については同一符号を付してその説明を省略する。
【００５１】
図において、１１は窓センサ、１２は人感センサである。１１１は４２９ＭＨｚ帯用小電力無線用アンテナ（家庭内電気機器のネットワーク制御情報端末機器親機通信用）、１１２は無線回路（家庭内電気機器のネットワーク制御情報端末機器親機通信用）、１１３は制御回路、１１４は窓センサ用マグネット（本体用）、１１５は窓センサ用マグネット（窓用）、１１６は４２９ＭＨｚ帯用小電力無線用アンテナ（家庭内電気機器のネットワーク制御情報端末機器親機通信用）、１１７は無線回路（家庭内電気機器のネットワーク制御情報端末機器親機通信用）、１１８は制御回路、１１９は人感センサ用赤外線送受信回路である。
【００５２】
個人認識用カード３を所持している人が、第２の赤外線送信機１０１が設置された部屋にいない場合で、第３の赤外線送信機１０２が設置された部屋にいない場合で、第４の赤外線送信機１０３が設置された部屋にいない場合で、第５の赤外線送信機１０４が設置された部屋にいない場合には、つまり、家屋９に設置された各赤外線送信機からのデータが個人認識用カード３から家庭内電気機器のネットワーク制御情報端末機器親機１へ赤外線送信機２からのデータを送信しない場合には、ネットワーク制御情報端末機器親機１は個人認識用カード３を所持している個人がこの家屋９に存在しないと判断し、ネットワーク制御情報端末機器親機１は窓センサ１１および人感センサ１２に無線通信により、警戒モードに設定することができる。
【００５３】
（実施の形態８）
図１２は、本発明の実施の形態８における家庭内電気機器ネットワーク制御情報機器システムを示している。実施の形態１と同一要素については同一符号を付してその説明を省略する。
【００５４】
図において、１２はドア錠制御ユニットである。１２２は無線回路（家庭内電気機器のネットワーク制御情報端末機器親機通信用）であり、１２１は４２９ＭＨｚ帯用小電力無線用アンテナ（家庭内電気機器のネットワーク制御情報端末機器親機通信用）、１２３は制御回路で、１２４は錠開閉制御回路である。
【００５５】
個人認識用カード３を所持している人が、第２の赤外線送信機１０１が設置された部屋にいない場合で、第３の赤外線送信機１０２が設置された部屋にいない場合で、第４の赤外線送信機１０３が設置された部屋にいない場合で、第５の赤外線送信機１０４が設置された部屋にいない場合には、つまり、家屋９に設置された各赤外線送信機からのデータが個人認識用カード３から家庭内電気機器のネットワーク制御情報端末機器親機１へ赤外線送信機２からのデータを送信しない場合には、ネットワーク制御情報端末機器親機１は個人認識用カード３を所持している個人がこの家屋９に存在しないと判断し、ネットワーク制御情報端末機器親機１はドア錠制御ユニット１２に無線通信により、ドア錠を閉状態に設定することができる。
【産業上の利用可能性】
【００５６】
以上のように、本発明にかかる家庭内電気機器ネットワーク制御情報機器システムは、確実に個人認識用カードを所持している各個人がどこにいるかを特定でき、赤外線送信機も、人感センサのように赤外線受信回路や、小電力無線回路を内蔵する必要が無い非常にシンプルな回路で構成することができ、コストもかなり低減できるものであるので、あらゆる家庭内電気機器の制御システムとして適用できる。
【図面の簡単な説明】
【００５７】
【図１】本発明の実施の形態１における家庭内電気機器ネットワーク制御情報機器システムの構成図
【図２】同システムにおける赤外線送信機の構成図
【図３】同システムにおける個人認識用カードの構成図
【図４】本発明の実施の形態２における家庭内電気機器ネットワーク制御情報機器システムの個人認識用カードの構成図
【図５】本発明の実施の形態３における家庭内電気機器ネットワーク制御情報機器システムの構成図
【図６】本発明の実施の形態４における家庭内電気機器ネットワーク制御情報機器システムのネットワーク制御情報端末機器親機の構成図
【図７】本発明の実施の形態５における家庭内電気機器ネットワーク制御情報機器システムのネットワーク制御情報端末機器親機の構成図
【図８】本発明の実施の形態６における家庭内電気機器ネットワーク制御情報機器システムの個人認識用カードの構成図
【図９】本発明の実施の形態７における家庭内電気機器ネットワーク制御情報機器システムの構成図
【図１０】同システムの窓センサの構成図
【図１１】同システムの人感センサの構成図
【図１２】本発明の実施の形態８における家庭内電気機器ネットワーク制御情報機器システムの構成図
【図１３】同システムの錠制御ユニットの構成図
【符号の説明】
【００５８】
１  家庭内電気機器のネットワーク制御情報端末機器親機
２  赤外線送信機
３  個人認識用カード
４  風呂給湯機
５  テレビ
７  エアコン
８  照明機器
９  家屋
１０  家庭内電気機器のネットワーク制御情報端末機器子機
１１  窓センサ
１２  人感センサ
１３  錠制御ユニット
１８  外部ネットワーク通信端子
２３  制御回路
２２  赤外線送信回路（個人認識用カード送信用）
３１  無線用アンテナ（ネットワーク制御情報端末機器親機通信用）
３２  無線回路（ネットワーク制御情報端末機器親機通信用）
３３  制御回路
３４  個人情報データ記憶装置
３５  赤外線受信回路
３６  小電力無線用アンテナ（ネットワーク制御情報端末機器親機通信用）
３７  小電力無線回路（ネットワーク制御情報端末機器親機通信用）
４３  無線回路
４４  無線用アンテナ
４５  制御回路
４６  データ記憶装置
４７  データ入力部
４８  データ表示部
４９  外部ネットワーク接続端子
５０  クロック
５１  データ表示部
５２  データ入力部
５３  スピーカー
５４  マイク
１０１  第２の赤外線送信機
１０２  第３の赤外線送信機
１０３  第４の赤外線送信機
１０４  第５の赤外線送信機
１１１  無線用アンテナ（ネットワーク制御情報端末機器親機通信用）
１１２  無線回路（ネットワーク制御情報端末機器親機通信用）
１１３  制御回路
１１４  窓センサ用マグネット（本体用）
１１５  窓センサ用マグネット（窓取付用）
１１６  無線用アンテナ（ネットワーク制御情報端末機器親機通信用）
１１７  無線回路（ネットワーク制御情報端末機器親機通信用）
１１８  制御回路
１１９  人感センサ用赤外線送受信回路
【図１】
2006345139.tif 000003
【図２】
2006345139.tif 000004
【図３】
2006345139.tif 000005
【図４】
2006345139.tif 000006
【図５】
2006345139.tif 000007
【図６】
2006345139.tif 000008
【図７】
2006345139.tif 000009
【図８】
2006345139.tif 000010
【図９】
2006345139.tif 000011
【図１０】
2006345139.tif 000012
【図１１】
2006345139.tif 000013
【図１２】
2006345139.tif 000014
【図１３】
2006345139.tif 000015